(57)【特許請求の範囲】
【請求項１】
箱状に形成される筐体と、
前記筐体の内側から外側に導出されて露出し前記筐体の壁面に沿って延在する端子とを備え、
前記筐体は、前記端子が導出される側の端面において、前記端子が延在する延在方向の導出元側の端部の、前記延在方向と交差する第１幅方向の両外端が、前記端子より前記延在方向及び前記第１幅方向と交差する第２幅方向に沿って突出することで形成される一対の突出部を有し、
前記端子の露出部分は、前記端子と対向する前記壁面の角部であって前記端子の延在方向の先端側でかつ前記第１幅方向の両外端に位置する一対の角部と、前記一対の突出部の端部であって前記端子の導出側でかつ前記一対の角部側でかつ前記第１幅方向の外端側に位置する端部とを含む仮想平面上、もしくは、前記仮想平面より前記壁面側に位置することを特徴とする、
電子部品。
【請求項２】
前記端子は、前記延在方向の先端位置が前記仮想平面上、もしくは、前記仮想平面より前記壁面側に位置する、
請求項１に記載の電子部品。
【請求項３】
前記筐体は、前記一対の突出部を接続する板状部を有し、
前記一対の突出部は、前記延在方向に沿った長さが前記板状部より長い、
請求項１又は請求項２に記載の電子部品。
【請求項４】
前記端子は、前記端子と対向する前記壁面の前記第１幅方向の最外位置より内側に位置する、
請求項１乃至請求項３のいずれか１項に記載の電子部品。
【請求項５】
前記仮想平面は、当該仮想平面を境界として一方側に前記筐体の全体が位置する平面である、
請求項１乃至請求項４のいずれか１項に記載の電子部品。
【請求項６】
箱状に形成される筐体と、
前記筐体の内側から外側に導出されて露出し前記筐体の壁面に沿って延在する端子とを備え、
前記筐体は、前記端子が導出される側の端面において、前記端子が延在する延在方向の導出元側の端部の、前記延在方向と交差する第１幅方向の両外端が、前記端子より前記延在方向及び前記第１幅方向と交差する第２幅方向に沿って突出することで形成される一対の突出部を有し、
前記端子の露出部分は、前記端子と対向する壁面の角部であって前記端子の延在方向の先端側でかつ前記第１幅方向の両外端に位置する一対の角部と、前記一対の突出部の隅部とを含む平面であって当該平面を境界として一方側に前記筐体の全体が位置する平面である仮想平面上、もしくは、前記仮想平面より前記壁面側に位置することを特徴とする、
電子部品。
【発明の詳細な説明】
【技術分野】
【０００１】
本発明は、電子部品に関する。
【背景技術】
【０００２】
車両等に搭載される従来の電子部品として、例えば、特許文献１には、電源装置と電装品との接続を制御するためのリレーモジュール等の電子部品を備えた電気接続箱（ジャンクションボックス）が開示されている。
【先行技術文献】
【特許文献】
【０００３】
【特許文献１】特開２０１０−２２１７８７号公報
【発明の概要】
【発明が解決しようとする課題】
【０００４】
ところで、上述の特許文献１に記載の電気接続箱に組み付けられた電子部品は、例えば、当該電子部品を電気接続箱に組み付ける際等に当該電子部品の端子が損傷しないように当該端子が適切に保護されることが望まれている。
【０００５】
本発明は、上記の事情に鑑みてなされたものであって、端子を保護することができる電子部品を提供することを目的とする。
【課題を解決するための手段】
【０００６】
上記目的を達成するために、本発明に係る電子部品は、箱状に形成される筐体と、前記筐体の内側から外側に導出されて露出し前記筐体の壁面に沿って延在する端子とを備え、前記筐体は、前記端子が導出される側の端面において、前記端子が延在する延在方向の導出元側の端部の、前記延在方向と交差する第１幅方向の両外端が、前記端子より前記延在方向及び前記第１幅方向と交差する第２幅方向に沿って突出することで形成される一対の突出部を有し、前記端子の露出部分は、前記端子と対向する前記壁面の角部であって前記端子の延在方向の先端側でかつ前記第１幅方向の両外端に位置する一対の角部と、前記一対の突出部の端部であって前記端子の導出側でかつ前記一対の角部側でかつ前記第１幅方向の外端側に位置する端部とを含む仮想平面上、もしくは、前記仮想平面より前記壁面側に位置することを特徴とする。
【０００７】
また、上記電子部品では、前記端子は、前記延在方向の先端位置が前記仮想平面上、もしくは、前記仮想平面より前記壁面側に位置するものとすることができる。
【０００８】
また、上記電子部品では、前記筐体は、前記一対の突出部を接続する板状部を有し、前記一対の突出部は、前記延在方向に沿った長さが前記板状部より長いものとすることができる。
【０００９】
また、上記電子部品では、前記端子は、前記端子と対向する前記壁面の前記第１幅方向の最外位置より内側に位置するものとすることができる。
【００１０】
また、上記電子部品では、前記仮想平面は、当該仮想平面を境界として一方側に前記筐体の全体が位置する平面であるものとすることができる。
【００１１】
上記目的を達成するために、本発明に係る電子部品は、箱状に形成される筐体と、前記筐体の内側から外側に導出されて露出し前記筐体の壁面に沿って延在する端子とを備え、前記筐体は、前記端子が導出される側の端面において、前記端子が延在する延在方向の導出元側の端部の、前記延在方向と交差する第１幅方向の両外端が、前記端子より前記延在方向及び前記第１幅方向と交差する第２幅方向に沿って突出することで形成される一対の突出部を有し、前記端子の露出部分は、前記端子と対向する壁面の角部であって前記端子の延在方向の先端側でかつ前記第１幅方向の両外端に位置する一対の角部と、前記一対の突出部の隅部とを含む平面であって当該平面を境界として一方側に前記筐体の全体が位置する平面である仮想平面上、もしくは、前記仮想平面より前記壁面側に位置することを特徴とする。
【発明の効果】
【００１２】
本発明に係る電子部品は、筐体の壁面に沿って延在する端子の露出部分が、一対の角部と、一対の突出部の一部とを含む仮想平面上、もしくは、当該仮想平面より壁面側に位置する。これにより、電子部品は、例えば、当該電子部品を落下させてしまった際には一対の角部、及び、一対の突出部が端子の露出部分よりも先に落下面等に当接するようにすることができる。この結果、電子部品は、一対の角部、及び、一対の突出部によって端子を保護することができる、という効果を奏する。
【図面の簡単な説明】
【００１３】
【図１】図１は、実施形態に係る電子部品が適用された電子部品ユニットの分解斜視図である。
【図２】図２は、実施形態に係る電子部品が適用された電子部品ユニットの斜視図である。
【図３】図３は、実施形態に係る電子部品の概略構成を表す斜視図である。
【図４】図４は、実施形態に係る電子部品の概略構成を表す分解斜視図である。
【図５】図５は、実施形態に係る電子部品の長辺側の側面図である。
【図６】図６は、実施形態に係る電子部品の短辺側の側面図である。
【図７】図７は、実施形態に係る電子部品の短辺側の側面図である。
【図８】図８は、実施形態に係る電子部品が組み付けられる収容部材の平面図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態］
図１は、実施形態に係る電子部品が適用された電子部品ユニットの分解斜視図である。図２は、実施形態に係る電子部品が適用された電子部品ユニットの斜視図である。図３は、実施形態に係る電子部品の概略構成を表す斜視図である。図４は、実施形態に係る電子部品の概略構成を表す分解斜視図である。図５は、実施形態に係る電子部品の長辺側の側面図（図３中に示すＡ矢視図）である。図６は、実施形態に係る電子部品の短辺側の側面図（図３中に示すＢ矢視図）である。図７は、実施形態に係る電子部品の短辺側の側面図（図３中に示すＣ矢視図）である。図８は、実施形態に係る電子部品が組み付けられる収容部材の平面図である。なお、図４は、電子部品本体を二点鎖線で図示している。
【００１６】
本実施形態に係る電子部品１は、図１、図２に示すように、電子部品ユニット１００に適用され、自動車等の車両に搭載される電気接続箱に対して脱着可能に組み付けられる。ここで、電気接続箱は、ワイヤハーネス・電線等の接続処理用部品を構成するコネクタ、ヒューズ、リレー、分岐部、電子制御ユニット等の電装品を集約して内部に収容するものである。電気接続箱は、例えば、車両のエンジンルームや車体の下方部分に設置され、バッテリ等の電源と、車両内に搭載される各種電子機器との間に接続されている。電気接続箱は、電源から供給された電力を車両内の各種電子機器に分配する。なお、電気接続箱は、ジャンクションボックス、ヒューズボックス、リレーボックスなどとも呼ばれる場合があるが、本実施形態ではこれらを総称して電気接続箱と呼ぶ。電気接続箱は、絶縁性の合成樹脂によって形成されるフレーム、アッパカバー、ロアカバー等を含んで構成される筐体内に、電子部品１を含む種々の電子部品が収容される。電気接続箱は、フレームに一体的に形成される種々の形状の区画壁、フレームに着脱可能に組み付けられる種々の形状のブロック等によって形成される多数のキャビティ内に、それぞれ電子部品１を含む種々の電子部品が組み付けられる。そして、電気接続箱は、電子部品１を含む種々の電子部品が組み付けられたキャビティに対して電線の端子等が嵌合し電気的に接続される。
【００１７】
そして、本実施形態の電子部品１が適用される電子部品ユニット１００は、当該電子部品１と、収容部材２とを備える。図１、図２に例示する電子部品ユニット１００は、電子部品１を２つ備えるものとして図示しているが、これに限らず、１つであってもよいし、３つ以上であってもよい。２つの電子部品１は、同等の構成である。
【００１８】
電子部品１は、図３、図４、図５、図６、図７に示すように、筐体３と、電子部品本体４と、端子５とを備える。
【００１９】
なお、以下の説明では、筐体３の外側に露出する端子５が延在する延在方向を「高さ方向」といい、延在方向（高さ方向）の一方側を「導出元側」といい、他方側を「先端側」という場合がある。また、以下の説明では、延在方向（高さ方向）と直交する２つの方向をそれぞれ「第１幅方向」、「第２幅方向」という場合がある。典型的には、第１の方向としての延在方向（高さ方向）と第２の方向としての第１幅方向と第３の方向としての第２幅方向とは、相互に直交する。
【００２０】
筐体３は、内部に電子部品本体４を収容するものである。筐体３は、箱状に形成される容器である。筐体３は、ベース３１とケース３２とを含んで構成される。ベース３１とケース３２とは、ともに絶縁性の合成樹脂によって形成される。ベース３１は、矩形板状に形成される蓋状部材であり、電子部品本体４が組み付けられるものである。ここでは、ベース３１は、第１幅方向が短辺方向、第２幅方向が長辺方向となっている。ケース３２は、中空の直方体箱状に形成される箱状部材であり、ベース３１に組み付けられた電子部品本体４を覆うものである。ケース３２は、内部に形成される中空部が電子部品本体４を収容するための収容空間部３３となる。収容空間部３３は、ケース３２において、高さ方向（延在方向）の導出元側に開口３４が形成される（図４等参照）。ここでは、ケース３２は、第２幅方向に対向する一対の壁面３５、第１幅方向に対向する一対の壁面３６、及び、高さ方向先端側に位置する底面３７によって収容空間部３３が区画されると共に、高さ方向の導出元側に開口３４が形成される。ケース３２は、一対の壁面３５、及び、一対の壁面３６の４面が側面となる。そして、ベース３１は、電子部品本体４が組み付けられた状態で、ケース３２の開口３４を塞ぐような位置関係で当該ケース３２に組み付けられ、種々の形式の係止機構によって係止される（図４等参照）。つまり、筐体３は、ベース３１が高さ方向の導出元側に位置し、ケース３２が高さ方向の先端側に位置する。筐体３は、ベース３１とケース３２とが組み合わさって全体として直方体状の箱状に形成され内部に形成された収容空間部３３に電子部品本体４を収容する。また、この筐体３は、ベース３１において第２幅方向（長辺方向）沿った一方の端面に係合突起部３８が形成されている。係合突起部３８は、後述の収容部材２と係合するための係合爪であり、第２幅方向のほぼ中央に形成されている。
【００２１】
電子部品本体４は、筐体３の内部に収容されるものである。電子部品本体４は、電気製品に使用される部品であり、例えば、コネクタ、ヒューズ、リレー、分岐部、電子制御ユニット等である。ここでは、電子部品本体４は、コイル等によって構成される電磁石によって接点を物理的に動かすことで、例えば、電源装置等と電装品との接続を制御するリレー（電磁継電器）であるものとして説明する。
【００２２】
端子５は、筐体３の内側から外側に導出されて露出し筐体３の壁面、ここでは、筐体３のケース３２において第２幅方向（長辺方向）の端面を構成する壁面３５に沿って延在する。端子５は、電子部品本体４と電気的に接続される導電性の金属バスバーによって構成された板状のリード端子である。当該端子５は、タブと呼ばれる場合もある。ここでは、電子部品１は、複数の端子５を備えている。より詳細には、電子部品１は、複数の端子５として、第１端子５１、第２端子５２、第３端子５３、第４端子５４の４つを含んでいる。第１端子５１は、ケース３２において第２幅方向（長辺方向）の端面を構成する一方の壁面３５と対向して延在する。第２端子５２、第３端子５３、第４端子５４は、ケース３２において第２幅方向の端面を構成する他方の壁面３５と対向して延在する。つまり、第１端子５１と第２端子５２、第３端子５３、第４端子５４とは筐体３において第２幅方向に対向する各壁面３５において、第２幅方向に沿って互いに離れる方向に張り出すと共に、それぞれ当該各壁面３５に沿って形成される。第１端子５１は、一方の壁面３５の第１幅方向のほぼ中央に位置する（図７等参照）。第２端子５２、第３端子５３、第４端子５４は、第２端子５２が他方の壁面３５の第１幅方向のほぼ中央に位置し、第３端子５３、第４端子５４が第２端子５２の第１幅方向両側に互いに間隔をあけて位置する（図６等参照）。第２端子５２、第３端子５３、第４端子５４は、第２端子５２が第３端子５３、第４端子５４よりも相対的に幅広に形成されている。なお、以下の説明では、第１端子５１、第２端子５２、第３端子５３、第４端子５４を区別して説明する必要がない場合には単に「各端子５」という場合がある。
【００２３】
より詳細には、各端子５は、電子部品本体４から筐体３の外側に導出されて露出する。各端子５は、ベース３１側、すなわち、高さ方向の導出元側で筐体３の内側から外側に導出され、高さ方向の先端側に向けて延在する。各端子５は、ベース３１側、すなわち、高さ方向の導出元側で第２幅方向に沿って突出すると共に屈曲部５ａ（図６、図７等参照）を介して高さ方向先端側に向けて屈曲する。そして、各端子５は、各壁面３５に沿って高さ方向の先端側に向けて延在するようにして突出する。これにより、各端子５は、筐体３のケース３２において第２幅方向の端面を構成する壁面３５から間隔をあけるように当該壁面３５から離れる側に突出し、当該筐体３から張り出した形状となる。各端子５は、高さ方向の導出元側が、第２幅方向に沿って張り出した基端部（導出部）５ｂ（図５、図６、図７等参照）となり、屈曲部５ａを挟んで高さ方向の先端側が、相手方端子６と接触する接触部５ｃ（図５、図６、図７等参照）となる。各端子５は、高さ方向に対する屈曲部５ａの位置、及び、先端５ｄ（図５、図６、図７等参照）の位置がほぼ同等の位置となっている。各端子５は、例えば、インサート成形等によって、基端部５ｂ側（すなわち、電子部品本体４側）が、ベース３１の高さ方向先端側の面に一体的に設けられる。
【００２４】
ここで、本実施形態の筐体３は、さらに、張出部３９を有している。張出部３９は、ベース３１においてケース３２から張り出している庇状の部分である。張出部３９は、ケース３２から第２幅方向に沿って張り出している。張出部３９は、ベース３１の、各端子５が導出される側の端面の端部であって、各端子５の延在方向の導出元側の端部が、端子５より当該端子５の導出側に突出するようにして形成される。つまり、張出部３９は、ベース３１において、各端子５と対向する各壁面３５側の端面の端部であって、各端子５の延在方向の導出元側の端部が、各端子５より各壁面３５から離れる側に突出し、各端子５の高さ方向導出元側を覆うようにして形成される。ここでは、張出部３９は、ベース３１の第２幅方向両側に一対で設けられる。
【００２５】
より詳細には、各張出部３９は、それぞれ一対の突出部３９ａと、板状部３９ｂとを含んで構成される。一対の突出部３９ａは、ベース３１における各端子５が導出される側の端面において、各端子５が延在する延在方向の導出元側の端部の幅方向の両外端が、各端子５より当該端子５の導出側に突出することで形成される。言い換えれば、一対の突出部３９ａは、ベース３１における各壁面３５側の端面において、各端子５の延在方向の導出元側の端部の幅方向の両外端が、各端子５より各壁面３５から離れる側に突出する。一対の突出部３９ａの突出量は、ほぼ同等である。板状部３９ｂは、一対の突出部３９ａを接続する板状の部分である。板状部３９ｂは、第１幅方向に沿って一対の突出部３９ａの間を塞ぐようにして形成される。ここでは、一対の突出部３９ａは、高さ方向（延在方向）に沿った長さが板状部３９ｂより長くなるように形成される。一対の突出部３９ａは、高さ方向（延在方向）先端側の端部３９ｃがこの板状部３９ｂから高さ方向先端側に突出するようにして形成される。つまり、各張出部３９は、一対の突出部３９ａと板状部３９ｂとが一体で形成され、第２幅方向から視た側面視（図６、図７に示す短辺側の側面）にて、開口が高さ方向先端側を向いた略コの字型に形成される。ここでは、第２幅方向の一方側の各突出部３９ａと他方側の各突出部３９ａとは、それぞれ第２幅方向に沿って一続きの梁状部３９ｄを形成する。各梁状部３９ｄは、ベース３１の第１幅方向の両端面に第２幅方向に沿って形成される。上述の係合突起部３８は、当該梁状部３９ｄのうちの一方の第２幅方向のほぼ中央に形成される。
【００２６】
上述の各端子５は、ベース３１の各張出部３９によって高さ方向導出元側が覆われる。なおここでは、各端子５は、図６、図７等に示すように、屈曲部５ａが筐体３の外側でかつ各張出部３９の高さ方向先端側の面の近傍に位置するものとして図示しているがこれに限らない。各端子５は、例えば、各張出部３９から直接的に高さ方向先端側に突出し壁面３５に沿って延在するようにベース３１と一体的に設けられてもよい。つまり、各端子５は、例えば、屈曲部５ａ、基端部５ｂがベース３１を構成する合成樹脂によって包囲され、接触部５ｃが高さ方向先端側に突出し壁面３５に沿って延在するように形成されてもよい。
【００２７】
収容部材２は、図１、図２、図８に示すように、電子部品１が挿入され当該電子部品１を収容するハウジング部材である。収容部材２は、例えば、電気接続箱を構成するフレームの一部であってもよいし、フレームに組み付けられるブロックの一部であってもよいし、フレーム、ブロック等に組み付けられるものであってもよい。収容部材２は、相手方端子６を保持するための保持部材でもある。相手方端子６は、各端子５が嵌合するものである。
【００２８】
収容部材２は、電子部品１の筐体３が嵌合する第１収容室としてのメインキャビティ２１と、相手方端子６を保持すると共に電子部品１の端子５が嵌合する第２収容室としてのサブキャビティ２２とを備える。収容部材２は、メインキャビティ２１やサブキャビティ２２等を区画する区画壁等の壁面を含んで構成され、絶縁性の合成樹脂によって、全体として略直方体状の箱状に形成される。
【００２９】
メインキャビティ２１は、筐体３のケース３２を収容可能な大きさ・形状の略直方体状に形成された空間部であり、高さ方向導出元側の開口を介して筐体３のケース３２を案内して収容する。ここでは、メインキャビティ２１は、２つの電子部品１に対応して２つ形成されている。２つのメインキャビティ２１は、第１幅方向に隣接して設けられる。各メインキャビティ２１は、第２幅方向が長辺方向、第１幅方向が短辺方向となっている。
【００３０】
サブキャビティ２２は、各端子５を収容可能な大きさ・形状で高さ方向に沿って延在する空間部であり、内部に相手方端子６を保持すると共に高さ方向導出元側の開口を介して各端子５の先端５ｄを案内して収容する。サブキャビティ２２は、各電子部品１の複数の端子５に対応して複数形成される。収容部材２は、複数のサブキャビティ２２として、第１端子５１が嵌合する第１キャビティ２３、第２端子５２が嵌合する第２キャビティ２４、第３端子５３が嵌合する第３キャビティ２５、第４端子５４が嵌合する第４キャビティ２６の４つを１組として、各電子部品１それぞれに対応して１組ずつ、合計８つを含んでいる。サブキャビティ２２は、第２幅方向に対して一方のメインキャビティ２１を挟むようにして、第１キャビティ２３がメインキャビティ２１の第２幅方向一方側に形成され、第２キャビティ２４、第３キャビティ２５、第４キャビティ２６がメインキャビティ２１の第２幅方向他方側に形成される。第２キャビティ２４、第３キャビティ２５、第４キャビティ２６は、第１幅方向に沿って所定の間隔をあけて形成され、ここでは、第２キャビティ２４が中央に位置し、第３キャビティ２５、第４キャビティ２６が第２キャビティ２４の第１幅方向両側にそれぞれ形成される。また、サブキャビティ２２は、他方のメインキャビティ２１に対しても同様に、第１キャビティ２３、第２キャビティ２４、第３キャビティ２５、第４キャビティ２６が形成される。ただし、一方のメインキャビティ２１及びこれを挟むようにして形成される第１キャビティ２３、第２キャビティ２４、第３キャビティ２５、第４キャビティ２６と、他方のメインキャビティ２１及びこれを挟むようにして形成される第１キャビティ２３、第２キャビティ２４、第３キャビティ２５、第４キャビティ２６とは、点対称となる形状・位置関係、言い換えれば、高さ方向を軸として１８０°回転させたような形状・位置関係で形成されている。各第１キャビティ２３、各第２キャビティ２４、各第３キャビティ２５、各第４キャビティ２６は、それぞれ第１端子５１、第２端子５２、第３端子５３、第４端子５４に対応させて、所定の位置に相手方端子（ここでは、雌型の端子）６を保持する。相手方端子６は、各端子５の接触部５ｃが嵌合され電気的に接続されるものであり、導電性の端子金具によって構成され、例えば、電線等と電気的に接続されている。
【００３１】
また、収容部材２は、各メインキャビティ２１を区画する壁面にそれぞれ係合凹部２７が形成されている。各係合凹部２７は、ベース３１に形成された上述の係合突起部３８と係合することで、各電子部品１を収容部材２に係止するものである。各係合凹部２７は、第２幅方向（長辺方向）に沿った壁面に形成される。
【００３２】
上記のように構成される電子部品ユニット１００は、各電子部品１の筐体３のケース３２側が各メインキャビティ２１に嵌合され収容されると共に、各端子５（第１端子５１、第２端子５２、第３端子５３、第４端子５４が各サブキャビティ２２（第１キャビティ２３、第２キャビティ２４、第３キャビティ２５、第４キャビティ２６）に嵌合され収容される。これにより、電子部品ユニット１００は、各電子部品１の各端子５と収容部材２に保持された各相手方端子６とが電気的に接続される。電子部品ユニット１００は、各端子５と各相手方端子６とが電気的に接続された状態で、ベース３１に形成された係合突起部３８が収容部材２に形成された各係合凹部２７と係合することで、各電子部品１が収容部材２に係止される（図２等参照）。電子部品ユニット１００は、各電子部品１が収容部材２に係止された状態で、高さ方向に対して筐体３のベース３１がメインキャビティ２１、サブキャビティ２２を覆うような位置関係となる。
【００３３】
そして、本実施形態の電子部品１は、各端子５を筐体３の側方に壁面３５に沿って形成することで低背化を図った電子部品１にあって、ベース３１の各張出部３９と各端子５との幾何学的な位置関係が所定の位置関係となるように各張出部３９と各端子５とが形成されることで、各端子５の保護を図っている。
【００３４】
具体的には、電子部品１は、図３、図５に示すように、筐体３の張出部３９と角部３ａとによって規定される仮想平面Ｐに応じて端子５の露出部分の高さ方向に沿った長さが設定される。
【００３５】
ここで、仮想平面Ｐは、各端子５が対向する各壁面３５のそれぞれに対して仮想される平面であり、一対の角部３ａと、張出部３９を構成する一対の突出部３９ａの各端部３９ｃとを含む平面である。各一対の角部３ａは、ケース３２において、各端子５と対向する各壁面３５の角部であって、端子５の延在方向の先端側でかつ幅方向の両外端に位置する延在方向先端側角部である。一対の突出部３９ａの各端部３９ｃは、一対の突出部３９ａの端部であって、端子５の導出側でかつ一対の角部３ａ側でかつ幅方向の外端側の端部である。つまり、端部３９ｃは、各突出部３９ａの先端面において、延在方向先端側でかつ幅方向最外に位置する端部である。上記のように一対の角部３ａと一対の突出部３９ａの各端部３９ｃとによって規定される仮想平面Ｐは、当該仮想平面Ｐを境界として一方側に筐体３の全体が位置する平面となる。つまり、仮想平面Ｐは、端子５と対向する壁面３５の角部であって端子５の延在方向の先端側でかつ幅方向の両外端に位置する一対の角部３ａと、一対の突出部３９ａの隅部、ここでは、端部３９ｃとを含む平面であって当該平面を境界として一方側に筐体３の全体が位置する平面に相当する。
【００３６】
各端子５の露出部分は、上記のように規定される仮想平面Ｐ上、もしくは、仮想平面Ｐより壁面３５側に位置する。言い換えれば、各端子５は、各壁面３５と、ベース３１の張出部３９の延在方向先端側の面と、仮想平面Ｐとによって区画される空間に配置される。つまり、各端子５は、延在方向の先端５ｄの位置（先端位置）が仮想平面Ｐ上、もしくは、仮想平面Ｐより壁面３５側に位置し、各端子５の露出部分である接触部５ｃが仮想平面Ｐより壁面３５側に位置するように、各端子５の高さ方向に沿った長さが設定される。逆に言えば、突出部３９ａを含む張出部３９は、各端子５の先端５ｄの位置が仮想平面Ｐ上、もしくは、仮想平面Ｐより壁面３５側に位置するように、その張出量（第２幅方向に沿った突出量）が設定される。ここでは、第１端子５１の露出部分は、第２幅方向一方側の壁面３５において、仮想平面Ｐ上、もしくは、仮想平面Ｐより当該壁面３５側に位置する。第２端子５２、第３端子５３、第４端子５４の露出部分は、第２幅方向他方側の壁面３５において、仮想平面Ｐ上、もしくは、仮想平面Ｐより当該壁面３５側に位置する。各端子５の露出部分は、先端５ｄも含めて全体が仮想平面Ｐより壁面３５側に位置することがより好ましい。
【００３７】
また、各端子５は、図６、図７に示すように、各端子５と対向する壁面３５の第１幅方向の最外位置より内側に位置する。第１端子５１は、第１幅方向の両端部がそれぞれ壁面３５の第１幅方向の最外位置に対して、間隔Ｄ１あけて位置するように形成される（図７参照）。第２端子５２、第３端子５３、第４端子５４は、第３端子５３の第１幅方向の一方側の端部、及び、第４端子５４の第１幅方向の他方側の端部がそれぞれ壁面３５の第１幅方向の最外位置に対して、間隔Ｄ２あけて位置するように形成される（図６参照）。
【００３８】
上記のように構成される電子部品１は、例えば、当該電子部品１を落下させてしまった際には一対の角部３ａ、及び、一対の突出部３９ａが各端子５の露出部分よりも先に落下面等に当接するようにすることができる。これにより、電子部品１は、各端子５が落下面等に衝突することを抑制することができる。またさらに、電子部品１は、例えば、一対の角部３ａ、及び、一対の突出部３９ａが落下面等に衝突した後に、角部３ａと突出部３９ａの端部３９ｃとを結ぶ線を回転軸として電子部品１全体が回転した場合であっても、各壁面３５の第１幅方向の最外位置が各端子５の露出部分よりも先に落下面等に当接するようにすることができる。これにより、電子部品１は、各端子５が落下面等に衝突することをより確実に抑制することができる。
【００３９】
以上で説明した電子部品１によれば、箱状に形成される筐体３と、筐体３の内側から外側に導出されて露出し筐体３の壁面３５に沿って延在する端子５とを備え、筐体３は、端子５が導出される側の端面において、端子５が延在する延在方向の導出元側の端部の、延在方向と交差する幅方向の両外端が、端子５より突出することで形成される一対の突出部３９ａを有し、端子５の露出部分は、端子５と対向する壁面３５の角部であって端子５の延在方向の先端側でかつ幅方向の両外端に位置する一対の角部３ａと、一対の突出部３９ａの端部であって端子５の導出側でかつ一対の角部３ａ側でかつ幅方向の外端側に位置する端部３９ｃとを含む仮想平面Ｐ上、もしくは、仮想平面Ｐより壁面３５側に位置する。さらに言えば、以上で説明した電子部品１によれば、端子５は、延在方向の先端位置が仮想平面Ｐ上、もしくは、仮想平面Ｐより壁面３５側に位置する。さらに言えば、以上で説明した電子部品１によれば、仮想平面Ｐは、当該仮想平面Ｐを境界として一方側に筐体３の全体が位置する平面である。
【００４０】
言い換えれば、以上で説明した電子部品１によれば、箱状に形成される筐体３と、筐体３の内側から外側に導出されて露出し筐体３の壁面３５に沿って延在する端子５とを備え、筐体３は、端子５が導出される側の端面において、端子５が延在する延在方向の導出元側の端部の、延在方向と交差する幅方向の両外端が、端子５より突出することで形成される一対の突出部３９ａを有し、端子５の露出部分は、端子５と対向する壁面３５の角部であって端子５の延在方向の先端側でかつ幅方向の両外端に位置する一対の角部３ａと、一対の突出部３９ａの隅部（ここでは、端部３９ｃ）とを含む平面であって当該平面を境界として一方側に筐体３の全体が位置する平面である仮想平面Ｐ上、もしくは、仮想平面Ｐより壁面３５側に位置する。
【００４１】
したがって、電子部品１は、筐体３の壁面３５に沿って延在する端子５の露出部分が、一対の角部３ａと、一対の突出部３９ａの一部（ここでは、端部３９ｃ）とを含む仮想平面Ｐ上、もしくは、仮想平面Ｐより壁面３５側に位置する。これにより、電子部品１は、例えば、当該電子部品１を落下させてしまった際には一対の角部３ａ、及び、一対の突出部３９ａが端子５の露出部分よりも先に落下面等に当接するようにすることができる。この結果、電子部品１は、一対の角部３ａ、及び、一対の突出部３９ａによって端子５を保護することができ、例えば、端子５の損傷や変形を抑制することができる。
【００４２】
さらに、以上で説明した電子部品１によれば、筐体３は、一対の突出部３９ａを接続する板状部３９ｂを有し、一対の突出部３９ａは、延在方向に沿った長さが板状部３９ｂより長い。したがって、電子部品１は、例えば、端子５の露出部分を仮想平面Ｐ上、もしくは、仮想平面Ｐより壁面３５側に位置する構成を実現した上で、例えば、一対の突出部３９ａの延在方向に沿った長さが板状部３９ｂと同等である場合と比較して、突出部３９ａの突出量（第２幅方向に沿った方向の突出量）を相対的に小さくすることができる。また、電子部品１は、突出部３９ａの延在方向に沿った長さが板状部３９ｂより長く形成されることで、落下の際に最初に落下面等に衝突しやすい傾向にある突出部３９ａの強度を適正に確保することができる。この結果、電子部品１は、筐体３の小型化と強度確保とを両立することができる。
【００４３】
さらに、以上で説明した電子部品１によれば、端子５は、端子５と対向する壁面３５の幅方向の最外位置より内側に位置する。したがって、電子部品１は、例えば、一対の角部３ａ、及び、一対の突出部３９ａが落下面等に衝突した後に、角部３ａと突出部３９ａの端部３９ｃとを結ぶ線を回転軸として電子部品１全体が回転した場合であっても、各壁面３５の第１幅方向の最外位置が各端子５の露出部分よりも先に落下面等に当接するようにすることができる。この結果、電子部品１は、各壁面３５の幅方向の最外端部によって端子５を保護することができ、例えば、端子５の損傷や変形を抑制することができる。
【００４４】
なお、上述した本発明の実施形態に係る電子部品は、上述した実施形態に限定されず、特許請求の範囲に記載された範囲で種々の変更が可能である。
【００４５】
以上で説明した電子部品本体４は、リレーであるものとして説明したがこれに限らず、コネクタ、ヒューズ、分岐部、電子制御ユニット等であってもよい。
【００４６】
以上で説明した電子部品１は、複数の端子５として、第１端子５１、第２端子５２、第３端子５３、第４端子５４の４つを備えるものとして説明したが、これに限らず、端子５は、１つであってもよいし、４つ以外の複数であってもよい。また、端子５は、筐体３において第２幅方向に対向する各壁面３５に沿ってそれぞれ形成されるものとして説明したが、これに限らず、少なくとも一対の壁面３５、及び、一対の壁面３６のうちのいずれか１つに沿って形成されればよい。つまり、端子５は、第１幅方向に対向する各壁面３６に沿ってそれぞれ形成されてもよいし、壁面３５と壁面３６とに沿ってそれぞれ形成され、これに応じて張出部３９等が形成されればよい。
【００４７】
以上で説明した張出部３９は、それぞれ一対の突出部３９ａと、板状部３９ｂとを含んで構成されるものとして説明したが、少なくとも一対の突出部３９ａを含んで構成されればよく、板状部３９ｂを含まなくてもよい。
【００４８】
以上で説明した電子部品ユニット１００は、電子部品１を収容部材２に係止するための機構として係合突起部３８、係合凹部２７を備えるものとして説明したが、端子５と相手方端子６との保持力で電子部品１を収容部材２に係止することができるものであれば、係合突起部３８、係合凹部２７を備えない構成であってもよい。
【００４９】
以上で説明した筐体３は、ベース３１とケース３２とによって直方体状の箱状に形成されものとして説明したがこれに限らず、ベース３１とケース３２とに区別されていなくてもよいし、直方体以外の多角形箱状に形成されてもよい。
【符号の説明】
【００５０】
１    電子部品
３    筐体
３ａ    角部
４    電子部品本体
５    端子
３５、３６    壁面
３９    張出部
３９ａ    突出部
３９ｂ    板状部
３９ｃ    端部
３９ｄ    梁状部
１００    電子部品ユニット
Ｐ    仮想平面
【図１】
0006265865.tif 000002
【図２】
0006265865.tif 000003
【図３】
0006265865.tif 000004
【図４】
0006265865.tif 000005
【図５】
0006265865.tif 000006
【図６】
0006265865.tif 000007
【図７】
0006265865.tif 000008
【図８】
0006265865.tif 000009